(57)【要約】【課題】高品質な音声通信を実現することができる音声通信装置を提供する。【解決手段】かかる課題を解決するために、本発明の音声通信装置は、収容する電話端末と通信網回線との間に介在し、電話端末と通信網回線との間の音声通信を行なう音声通信装置において、通信網回線と接続する回線接続回路手段と、電話端末を収容する端末収容回路手段と、回線接続回路手段及び端末収容回路手段との間で時分割多重化データを授受し、電話端末と通信網回線との間の接続制御をする接続制御手段とを備え、回線接続回路手段、端末収容回路手段及び接続制御手段との間で時分割多重化データを伝送する時分割多重伝送回線が１本であることを特徴とする。【選択図】      図１
2005318276.tif 000002
【特許請求の範囲】
【請求項１】
収容する電話端末と通信網回線との間に介在し、上記電話端末と上記通信網回線との間の音声通信を行なう音声通信装置において、
上記通信網回線と接続する回線接続回路手段と、
上記電話端末を収容する端末収容回路手段と、
上記回線接続回路手段及び上記端末収容回路手段との間で時分割多重化データを授受し、上記電話端末と上記通信網回線との間の接続制御をする接続制御手段と
を備え、
上記回線接続回路手段、上記端末収容回路手段及び上記接続制御手段との間で時分割多重化データを伝送する時分割多重伝送回線が１本であることを特徴とする音声通信装置。
【請求項２】
上記電話端末と上記通信網回線との間で音声通信が開始すると、上記時分割多重伝送回線の設定チャネルを切り替え、上記回線接続回路手段と上記端末収容回路手段との間で直接音声データを伝送させるチャネル切替制御手段を備えることを特徴とする請求項１に記載の音声通信装置。
【請求項３】
上記通信網回線とは異なる異種網回線と接続する異種網回線接続回路手段を備え、
上記チャネル切替制御手段が、上記異種網回線から着信があった上記電話端末が上記通信網回線と音声通信をしている際に、上記時分割多重伝送回線に上記異種網回線から着信した着信音を上記電話端末に伝送するためのチャネルを一時的に設定することを特徴とする請求項１又は２に記載の音声通信装置。
【発明の詳細な説明】
【技術分野】
【０００１】
本発明は、音声通信装置に関し、例えば、収容する電話端末（例えば電話機、多機能電話機、ソフトウェアを実行することにより電話機能を実現する通信端末など）と一般公衆電話網回線との間の接続制御する接続制御手段（例えばＤＳＰ：Ｄｉｇｉｔａｌ  Ｓｉｇｎａｌ  Ｐｒｏｃｅｓｓｏｒ）を備える、交換機やＶｏＩＰ（Ｖｏｉｃｅ  ｏｆ  ＩＰ）ゲートウェイ装置などの音声通信装置に適用し得る。
【背景技術】
【０００２】
近年のＩＰ（Ｉｎｔｅｒｎｅｔ  Ｐｒｏｔｏｃｏｌ）通信網を使用したＶｏＩＰ通信技術の進展に伴い、ＰＳＴＮ回線及びＩＰ網回線に接続可能であり、ＤＳＰの制御により、収容する電話機と、ＰＳＴＮ回線又はＩＰ網回線との間の音声通信を実現する音声通信装置（例えば、ＶｏＩＰゲートウェイ装置等）がある。
【０００３】
これらの音声通信装置が電話機とＰＳＴＮ回線との間の音声通信を行なう場合、音声通信装置が備えるＤＳＰが、電話機側のインタフェースである端末収容回路（ＳＬＩＣ）及びＰＳＴＮ回線側のインタフェースである回線接続回路（ＤＡＡ：Ｄａｔａ  Ａｃｃｅｓｓ  Ａｒｒａｎｇｅｍｅｎｔ）とデータ伝送することにより、呼制御などの接続制御を行なうことで音声通信を実現している。
【０００４】
図２は、従来の音声通信装置の主要なハードウェア構成を示す構成ブロック図である。図２に示すように、従来の音声通信装置１００は、ＤＳＰ１１と、ＤＡＡ１３及びＳＬＩＣ１２との間で時分割多重化した音声信号（時分割多重信号）を伝送するため、フォワードハイウェイ（以下、ＦＨＷ）１８及びバックハイウェイ（以下、ＢＨＷ）１９の２本の時分割多重回線を備えている。
【０００５】
ここで、ＢＨＷ１９は、ＳＬＩＣ１２又はＤＡＡ１３が有するＡ／Ｄ変換部によりディジタル変換された音声ディジタル信号を、予め割り当てられたタイムスロットでＤＳＰ１１に与える時分割多重伝送回線であり、ＦＨＷ１８は、ＤＳＰ１１が中継する音声ディジタル信号を、予め割り当てられたタイムスロットでＤＡＡ１３又はＳＬＩＣ１２に与える時分割多重伝送回線である。例えば、ＦＨＷ１８及びＢＨＷ１９は、１周期（１フレーム）を１２５μｓとして、その１周期を３２分割した３２チャネルの伝送路を有する。
【０００６】
図２において、ＤＳＰ１１、ＤＡＡ１３及びＳＬＩＣ１２はそれぞれ、ＨＷ入力専用端子及びＨＷ出力専用端子を備え、ＦＨＷ１８及びＢＨＷ１９の２本のＨＷを介して、ＤＳＰ１１と、ＤＡＡ１３又はＳＬＩＣ１２と間のデータ伝送を実現している。
【０００７】
また、図３は、例えば、ＦＨＷ１８及びＢＨＷ１９のチャネルの割り当て例を示す説明図である。
【０００８】
図３において、ＦＨＷ１８については、ＤＳＰ１１からＤＡＡ１３に伝送するデータはＣｈ＃０に割り当て、ＤＳＰ１１からＳＬＩＣ１２に伝送するデータはＣｈ＃１に割り当てた例を示す。また、ＢＨＷ１９については、ＤＡＡ１３からＤＳＰ１１に伝送するデータはＣｈ＃０を割り当て、ＳＬＩＣ１２からＤＳＰ１１に伝送するデータはＣｈ＃１を割り当てた例を示す。
【０００９】
この場合において、ＰＳＴＮ回線３からＤＡＡ１３に音声信号が到来すると、音声信号（音声ディジタル信号）は、ＢＨＷ１９の所定のタイムスロットで、ＤＳＰ１１に与えられる。
【００１０】
そして、ＤＳＰ１１において、ＢＨＷ１９からＦＨＷ１８のチャネル変換がされた後に、音声ディジタル信号は、ＦＨＷ１８の所定のタイムスロットで、ＳＬＩＣ１２に与えられ、収容する電話機２に与えられる。
【００１１】
また、電話機２からＳＬＩＣ１２に到来した音声信号についても、上記と同様に、ＢＨＷ１８を介してＤＳＰ１１に与えられ、ＤＳＰ１１によりチャネル変換されてからＤＡＡ１３に与えられて、ＰＳＴＮ回線３に与えられる。
【発明の開示】
【発明が解決しようとする課題】
【００１２】
ところで、音声通信を実現する場合、様々な要因によりエコー信号が生じ、この発生したエコー信号が音声信号の伝送経路に入り込み（リターンし）、エコー信号を含む音声信号が伝送されてしまうため、通話者に違和感を与えてしまい音声通信の品質が低下してしまうおそれがある。
【００１３】
また、一般的に、伝送距離が長くなれば伝送される信号は遅延を生じやすく、その遅延に応じてエコー信号も遅延を生じる。従って、例えば、伝送する音声信号に、その音声信号のエコー信号が入り込んだ場合、音声信号とエコー信号との時間差が微小時間であっても、伝送距離が長くなることで遅延が生じ音声信号と、エコー信号の時間差が広がってしまいエコー感が増してしまうおそれがあった。
【００１４】
さらに、音声通信を実現する場合、通信網内で複数の音声通信装置間で音声信号を中継することが行われるため、それぞれの音声通信装置内でエコー信号が発生し、複雑に発生したエコー信号が重複した形で音声信号に入り込むおそれもある。
【００１５】
これらのことから、音声通信の品質向上のために、発生してしまったエコー信号とその音声信号との時間差を、音声通信装置内でいかに小さくするかということが望まれている。
【００１６】
従来の音声通信装置１００において、エコー信号は、例えば、電話機２が備えるアナログ２線−４線変換回路（例えば、ハイブリッド回路等）の変換処理、ＳＬＩＣ１２やＤＡＡ１３における伝送処理などにより、生じ得る（図４参照）。
【００１７】
しかし、上述したように、ＤＳＰ１１、ＤＡＡ１３及びＳＬＩＣ１２は、ＨＷ入力専用端子及びＨＷ出力専用端子を備えているため、音声通話中であっても２本のハイウェイを介して音声信号を送受信する必要があった。
【００１８】
また、ＤＳＰ１１は、ＢＨＷ１８とＦＨＷ１９との間で、伝送データを所定のタイムスロットの時間的順序に入れ換えるチャネル変換処理をする必要がある。
【００１９】
従って、ＤＳＰ１１によるチャネル変換処理時間によっては、音声信号とそのエコー信号との間の時間差が、ＤＡＡ１３、ＳＬＩＣ１２及び電話機２内部等でエコーの発声時点における音声信号とそのエコー信号との間の時間差よりも、大きくなってしまうおそれがあった。
【００２０】
このＤＳＰ１１のチャネル変換処理時間は、ＤＳＰ１１の性能によるが、例えば１０ｍｓ程度かかってしまう場合、ＤＡＡ１３で発生時における音声信号とエコー信号との時間差が微小時間であっても、その遅延時間に、少なくともＤＳＰ１１のチャネル変換処理時間分（例えば１０ｍｓ）が加算され伝送されるので、エコー感が際立ってしまうことになる。このことが音声通信の品質の劣化に繋がることになる。
【００２１】
そのため、接続制御手段によるチャネル変換処理をなくし、高品質な音声通信を提供することができる音声通信装置が求められている。
【課題を解決するための手段】
【００２２】
かかる課題を解決するために、本発明の音声通信装置は、収容する電話端末と通信網回線との間に介在し、電話端末と通信網回線との間の音声通信を行なう音声通信装置において、通信網回線と接続する回線接続回路手段と、電話端末を収容する端末収容回路手段と、回線接続回路手段及び端末収容回路手段との間で時分割多重化データを授受し、電話端末と通信網回線との間の接続制御をする接続制御手段とを備え、回線接続回路手段、端末収容回路手段及び接続制御手段との間で時分割多重化データを伝送する時分割多重伝送回線が１本であることを特徴とする。
【発明の効果】
【００２３】
本発明によれば、収容する電話端末と通信網回線との間に介在し、電話端末と通信網回線との間の音声通信を行なう音声通信装置において、通信網回線と接続する回線接続回路手段と、電話端末を収容する端末収容回路手段と、回線接続回路手段及び端末収容回路手段との間で時分割多重化データを授受し、電話端末と通信網回線との間の接続制御をする接続制御手段とを備え、回線接続回路手段、端末収容回路手段及び接続制御手段との間で時分割多重化データを伝送する時分割多重伝送回線が１本とすることにより、エコー感のない高品質な音声通信を提供することができる。
【発明を実施するための最良の形態】
【００２４】
以下、本発明の音声通信装置を実施するための最良の形態について図面を参照して説明する。
【００２５】
（Ａ）第１の実施形態
以下、本発明の音声通信装置の第１の実施形態について図面を参照して説明する。
【００２６】
本実施形態は、少なくともＰＳＴＮ回線に接続可能であり、電話機を収容する音声通信装置に適用した場合の説明である。
【００２７】
また、本実施形態の音声通信装置は、ＤＳＰ、ＤＡＡ及びＳＬＩＣ間で、従来２本構成としていたハイウェイを１本構成とし、音声通話中にＤＡＡとＳＬＩＣとの間で直接データを送受信するようにする。
【００２８】
（Ａ−１）第１の実施形態の構成
図５は、本実施形態の音声通信装置が備える主要なハードウェア構成を示す構成ブロック図である。
【００２９】
図５において、本実施形態の音声通信装置１は、電話機２を収容し、一般公衆電話網（ＰＳＴＮ）回線３に接続可能である。なお、図５では、説明便宜のために、１個の電話機２を収容する場合を示すが、複数個の電話機を収容可能である。
【００３０】
音声通信装置１は、ＤＳＰ１１を備える交換機やＶｏＩＰゲートウェイ装置やルータやゲートキーパなど収容端末とＰＳＴＮ回線との間の接続制御機能を備えた音声通信装置に広く適用可能である。また、音声通信装置１は、電話機２とＰＳＴＮ回線３との間に介在する装置であればよく、例えば電話機２本体に搭載可能な装置としても適用可能である。
【００３１】
また、音声通信装置１が収容する端末は、音声通信機能を有する電話端末であれば広く適用できる。
【００３２】
図５に示すように、本実施形態の音声通信装置１は、データバス１５を介して、ＤＳＰ１１、ＳＬＩＣ１２、ＤＡＡ１３及び制御部１４を備える。
【００３３】
また、ＤＳＰ１１と、ＳＬＩＣ１２及びＤＡＡ１３との間は、１本のハイウェイ（時分割多重回線）２０で接続している。
【００３４】
ハイウェイ２０は、ＤＳＰ１１と、ＳＬＩＣ１２及びＤＡＡ１３との間を１本の回線で接続するものであり、ＤＳＰ１１と、ＳＬＩＣ１２及びＤＡＡ１３との間のデータ伝送に所定のチャネルが割り当てられている時分割多重伝送路である。従来、ＤＳＰ１１とＤＡＡ１３又はＳＬＩＣ１２との間のハイウェイは、２本であったものを、１本とすることが本実施形態の特徴である。
【００３５】
図１は、ハイウェイ２０に割り当てられるチャネルを説明する説明図である。図１において、ハイウェイ２０は、例えば、１周期を１２５μｓとし、その１周期を３２分割して３２チャネルを有する場合を示す。
【００３６】
図１（Ａ）は、電話機２とＰＳＴＮ回線３との間で音声通話中でない場合（通常時ともいう）のデータ伝送に割り当てるチャネルを示す。ここで、通常時とは、音声通話時以外の場合であり、例えば電話機２とＰＳＴＮ回線３との間の通話開始前の接続制御信号をＤＳＰ１１と、ＤＡＡ１３又はＳＬＩＣ１２との間で伝送するときをいう。
【００３７】
図１に示すように、通常時、ハイウェイ２０上において、ｃｈ＃０のタイムスロットはＤＳＰ１１からＤＡＡ１３へのデータ伝送に割り当てられ、ｃｈ＃１のタイムスロットはＤＡＡ１３からＤＳＰ１１へのデータ伝送に割り当てられ、ｃｈ＃２のタイムスロットはＤＳＰ１１からＳＬＩＣ１２へのデータ伝送が割り当てられ、ｃｈ＃３のタイムスロットはＳＬＩＣ１２からＤＳＰ１１へのデータ伝送に割り当てられる。
【００３８】
また、図１（Ｂ）は、電話機２とＰＳＴＮ回線３との間で音声通話中に割り当てるチャネルを示す。図１（Ｂ）に示すように、ハイウェイ２０上において、ｃｈ＃１のタイムスロットはＤＡＡ１３からＳＬＩＣ１２へのデータ伝送に割り当てられ、ｃｈ＃３のタイムスロットはＳＬＩＣ１２からＤＳＰ１３へのデータ伝送に割り当てられる。
【００３９】
制御部１４は、音声通信装置１の機能を制御するものであり、例えばＣＰＵなどが該当する。制御部１４は、例えば、記憶部１８（例えばＲＡＭ、ＲＯＭなど）に格納されているプログラムを実行することで音声通信装置１の機能を実現するものである。また、記憶部１８は、処理プログラムを格納したり、処理実行に必要なデータを格納したりするものである。
【００４０】
図６は、本実施形態の音声通信装置１の機能を説明する機能ブロック図である。図６に示すように、制御部１４は、収容する電話機２とＰＳＴＮ回線３との間の呼接続を制御する呼制御部１４２、設定チャネル切替制御部１４１を少なくとも備える。もちろん、制御部１４は、上記制御機能のほかに従来の音声通信装置が備える機能、例えば、ＳＬＩＣ１２及びＤＡＡ１３を監視して発信又は着信を検出する発着信検出制御機能、経路選択をするルーティング機能、回線交換機能、トラフィック測定機能、各種通信サービスを行う保守・運用機能などを備えるようにしてもよい。
【００４１】
設定チャネル切替制御部１４１は、呼制御部１４２による電話機２とＰＳＴＮ回線３との間で通話が開始すると、ＤＡＡ１３及びＳＬＩＣ１２の送信チャネル及び受信チャネルを切り替え、ハイウェイ２０を介してＤＡＡ１３とＳＬＩＣ１２との間で直接音声データの伝送をさせるものである。また、設定チャネル切替制御部１４１は、電話機２のＰＳＴＮ通話が終了すると、再度ＤＡＡ１３及びＳＬＩＣ１２の送信チャネル及び受信チャネルを切り替えるものである。
【００４２】
これにより、電話機２がＰＳＴＮ通話中、ＤＳＰ１１とＳＬＩＣ１２との間と、ＤＳＰ１１とＤＡＡ１３との間の伝送パスが切断することができ、電話機２のＰＳＴＮ通話が終了するとＤＳＰ１１との伝送パスを復旧することができる。
【００４３】
また、上述したように、ハイウェイ２０はＤＳＰ１１とＤＡＡ１３及びＳＬＩＣ１２との間に１本として構成されるものであり、図１に示すように、ＤＡＡ１３及びＳＬＩＣ１２のそれぞれからハイウェイ２０上にデータを送出するタイムスロットの時間的順序は、通常時の場合とＰＳＴＮ通話中の場合と同じであるから、設定チャネル切替制御部１４１によりハイウェイ２０上のチャネル切り替えられると、ＤＡＡ１３とＳＬＩＣ１２とは、ＤＳＰ１１を仲介することなくハイウェイ２０を使用して直接データ伝送することができる。
【００４４】
従って、従来の音声通信装置のように、音声信号（音声ディジタル信号）の伝送について、ＤＳＰ１１によるチャネル変換処理を回避し、ＤＡＡ１３とＳＬＩＣ１２との間で直接伝送することができるので、音声信号とそのエコー信号との間の時間差を大きくさせることなく音声通信を実現させることができる。
【００４５】
ＤＳＰ１１は、音声通信を制御するディジタル信号制御装置である。ＤＳＰ１１は、電話機２のＰＳＴＮ通話が開始されると、設定チャネル切替制御部１４１の制御により、ＤＡＡ１３及びＳＬＩＣ１２との間の伝送パスを切断するものである。
【００４６】
また、ＤＳＰ１１は、ＤＡＡ１３及びＳＬＩＣ１２と、ハイウェイ２０を介して、例えば、ナンバーディスプレイ等のモデム信号やＰＢ信号などを伝送する。このときの伝送には、図１（Ａ）で示したハイウェイ２０上のチャネルが使用される。
【００４７】
ＤＡＡ１３及びＳＬＩＣ１２は、制御部１４により常時監視され、着信制御を直接受けるものである。
【００４８】
ＤＡＡ１３は、ＰＳＴＮ回線３側との間で信号の送受信をするインタフェース部であり、一般的な回線系回路を適用することができる。また、ＤＡＡ１３は、ＰＳＴＮ回線３の回線状態を定期的に又は常時監視し、ＰＳＴＮ回線３から着信を受け取ると、その着信接続制御信号を制御部１４に与えるものである。また、ＤＡＡ１３は、制御部１４から着信接続制御信号の応答信号又は発信接続制御信号を受け取り、所定の通信制御により、ＰＳＴＮ回線３に与えるものである。
【００４９】
また、ＤＡＡ１３は、電話機２がＰＳＴＮ通話中の場合、ハイウェイ２０を介してＳＬＩＣ１２と直接音声信号の送受信を行うものである。
【００５０】
なお、ＤＡＡ１３は伝送タイミング制御部１３ａを備える。伝送タイミング制御部１３ａは、ハイウェイ２０上に割り当てられたチャネルのタイムスロットに応じて、ハイウェイ２０にデータ送出するものである。また、ＤＡＡ１３がデータ送出するハイウェイ２０上のチャネルのタイムスロットは、図１に示すように、通常時の場合及び電話機２がＰＳＴＮ通話中の場合もｃｈ＃１のタイムスロットであるから、通常時及びＰＳＴＮ通話中の場合であっても、同じタイミングでデータをハイウェイ２０上に送出できる。
【００５１】
ＳＬＩＣ１２は、電話機２側との間で信号の送受信をするインタフェース部であり、一般的な加入者回路を適用することができる。また、ＳＬＩＣ１２は、電話機２側の状態を定期的又は常時監視し、電話機２から発信を受け取ると、その発信接続制御信号を制御部１４に与えるものである。また、ＳＬＩＣ１２は、制御部１４から発信接続制御信号の応答信号又は着信接続制御信号を受け取り、所定の通信制御により、電話機２に与えるものである。
【００５２】
また、ＳＬＩＣ１２は、電話機２がＰＳＴＮ通話中の場合、ハイウェイ２０を介してＤＡＡ１３と直接音声信号の送受信を行うものである。
【００５３】
なお、ＳＬＩＣ１２は伝送タイミング制御部１２ａを備え、ハイウェイ２０上に割り当てられたチャネルのタイムスロットに応じて、ハイウェイ２０にデータ送出するものである。また、ＳＬＩＣ１２がデータ送出するハイウェイ２０上のチャネルのタイムスロットは、図１に示すように、通常時の場合及び電話機２がＰＳＴＮ通話中の場合もｃｈ＃３のタイムスロットであるから、通常時及びＰＳＴＮ通話中の場合であっても、同じタイミングでデータをハイウェイ２０上に送出できる。
【００５４】
すなわち、ＰＳＴＮ通話中においては、ＤＳＰ１１と、ＤＡＡ１３及びＳＬＩＣ１２との間の伝送パスがなくなり、１本のハイウェイ２０を介したＤＡＡ１３及びＳＬＩＣ１２からのデータ送出はオープンドレインになるため、ＤＡＡ１３とＳＬＩＣ１２との間で直接データ伝送を行なうことができる。
【００５５】
（Ａ−２）第１の実施形態の動作
次に、本実施形態の音声通信装置１の動作について図面を参照して説明する。図７は、音声通信装置１の動作を説明するフローチャートである。
【００５６】
図７において、ＤＡＡ１３及びＳＬＩＣ１２は、ＰＳＴＮ回線３からの着信又は電話機２からの発信があるか否かを定期的に又は常時監視する。また、制御部１４は、ＤＡＡ１３及び又はＳＬＩＣ１２を定期的に又は常時監視し、発着信の有無を監視する（Ｓ１）。
【００５７】
ＰＳＴＮ回線３からの着信又は電話機２からの発信が音声通信装置１に到来すると制御部１４に与えられる。
【００５８】
このとき、ＤＳＰ１１と、ＤＡＡ１３及びＳＬＩＣ１２との間でハイウェイ２０上の伝送パスが形成され、ハイウェイ２０に割り当てられているチャネル（図１（Ａ））のタイムスロットの時間的順序で、ＤＴＭＦ信号、モデム信号が伝送される。
【００５９】
制御部１４に制御信号が与えられると、ＰＳＴＮ回線３からの着信又は電話機２からの発信が検出される（Ｓ２）。
【００６０】
なお、図７では、ＰＳＴＮ回線３からの着信検出または電話機２からの発信検出をＰＳＴＮ通話着信検出と表現する。また、ＰＳＴＮ通話着信検出がなされない場合、Ｓ２に戻りＰＳＴＮ着信の検出を引き続き行なう。
【００６１】
制御部１４にＰＳＴＮ通話着信検出通知が与えられると、制御部１４において、ＰＳＴＮ通話着信があったことが検出され、呼制御部１４２によりＰＳＴＮ回線３と電話機２との間の呼制御がなされる（Ｓ３）。
【００６２】
このとき、呼制御部１４２によるＰＳＴＮ回線３と電話機２との間の呼制御に係る制御信号のＤＳＰ１１と、ＤＡＡ１３又はＳＬＩＣ１２との間のデータ伝送について、ハイウェイ２０は図１（Ａ）に示すチャネルが割り当てられており、ＤＳＰ１１からＤＡＡ１３へのデータ伝送はｃｈ＃０、ＤＡＡ１３からＤＳＰ１１へのデータ伝送はｃｈ＃１、ＤＳＰ１１からＳＬＩＣ１２へのデータ伝送はｃｈ＃２、ＳＬＩＣ１２からＤＳＰ１１へのデータ伝送はｃｈ＃３で伝送される。
【００６３】
呼制御部１４２により、電話機２とＰＳＴＮ回線３との間で通話が開始すると（Ｓ４）、制御部１４の設定チャネル切替制御部１４１の制御により、ＤＳＰ１１と、ＤＡＡ１３及びＳＬＩＣ１２との間のハイウェイ２０上のチャネル設定が切り替えられる（Ｓ５）。
【００６４】
これにより、ハイウェイ２０を介して、ＤＳＰ１１と、ＤＡＡ１３及びＳＬＩＣ１２との間での伝送パスがなくなり、ハイウェイ２０が１本であるため、ＤＡＡ１３及びＳＬＩＣ１２におけるデータ送出タイミングを変えることなく、図１（Ｂ）に示すように、通常時のＤＡＡ１３からＤＳＰ１１へのチャネルがＤＡＡ１３からＳＬＩＣ１２へのチャネルに変更でき、通常時のＳＬＩＣ１２からＤＳＰ１１へのチャネルがＳＬＩＣ１２からＤＡＡ１３へのチャネルに変更することができる。
【００６５】
電話機２がＰＳＴＮ通話中、音声信号は、ハイウェイ２０を介してＤＡＡ１３とＳＬＩＣ１２との間で直接伝送される。
【００６６】
ＤＡＡ１３及びＳＬＩＣ１２間で直接伝送される音声信号がエコー信号を含むものであっても、音声信号とその音声信号のエコー信号との間の遅延量が微小時間であれば、音声信号とその音声信号のエコー信号との間の遅延量が大きくなることなく伝送することができる。これにより、音声品質の高い通話を実現させることができる。
【００６７】
その後、電話機２のＰＳＴＮ通話が終了すると、設定チャネル切替制御部１４１の制御により、ハイウェイ２０上のチャネル設定が切り替えられ、ＤＳＰ１１と、ＤＡＡ１３及びＳＬＩＣ１２との間の伝送パスが復旧される（Ｓ７）。
【００６８】
これにより、電話機２のＰＳＴＮ通話終了後、再度、ＤＳＰ１１と、ＤＡＡ１３及びＳＬＩＣ１２との間の伝送パスを形成することができる。
【００６９】
（Ａ−３）第１の実施形態の効果
以上、本実施形態によれば、ＤＳＰ１１と、ＤＡＡ１３及びＳＬＩＣ１２との間のハイウェイ２０を１本にし、ＰＳＴＮ通話が開始時に、ハイウェイ２０上のＤＡＡ１３及びＳＬＩＣ１２の送信チャネル及び受信チャネルを切り替えるだけで、ＤＳＰ１１を仲介させることなく、ＤＡＡ１３とＳＬＩＣ１２との間で直接音声データの伝送をさせることができる。
【００７０】
これにより、エコー信号の消失又は音声信号とそのエコー信号との遅延時間を大きくすることなく高品質な音声通信を提供することができる。また、一般的な音声信号の遅延を軽減することもできる。
【００７１】
（Ｂ）第２の実施形態
次に、本発明の音声通信装置の第２の実施形態について図面を参照して説明する。
【００７２】
本実施形態は、少なくともＰＳＴＮ回線とＩＰ網回線とに接続可能であり、電話機を収容する音声通信装置に適用した場合について説明する。
【００７３】
（Ｂ−１）第２の実施形態の構成
図８は、第２の実施形態の音声通信装置１０の主要なハードウェア構成を示す構成ブロック図である。また、図９は、本実施形態の音声通信装置１０の機能を説明する機能ブロック図である。
【００７４】
なお、図８において、図５に示す第１の実施形態で説明した構成と対応する構成については対応する符号を付して示す。また、第１の実施形態で説明した対応構成についての詳細な機能説明は省略する。
【００７５】
図８において、音声通信装置１０は、ＰＳＴＮ回線３とＩＰ網回線４とに接続可能であり、電話機２を収容する。
【００７６】
ここで、ＩＰ網回線４は、例えば、通信プロトコルをＩＰとするネットワークであり、例えば、専用網、公衆網、移動通信網等や、これらを結合した網に広く適用することができる。
【００７７】
また、図８に示すように、音声通信装置１０は、データバス１５を介して、ＤＳＰ１１、ＳＬＩＣ１２、ＤＡＡ１３、ＷＡＮ１６、制御部１７を少なくとも備える。
【００７８】
本実施形態が、第１の実施形態と異なる点は、音声通信装置１０が、ＩＰ網回線に接続可能である点と制御部１７の制御機能とである。つまり、本実施形態は、ＰＳＴＮ通話中の電話機２に対してＩＰ網回線４から着信があった場合、ＤＳＰ１１とＳＬＩＣ１２との間の伝送パスが切断しているために、ＩＰ網回線からの着信音信号をＳＬＩＣ１２に伝送できない場合も想定され得るので、ＩＰ網回線４からの着信音信号をＳＬＩＣ１２に伝送できるようにすることを考慮したものである。
【００７９】
ＷＡＮ１６は、ＩＰ網回線４側との間で信号を送受信するインタフェース部であり、一般的なＩＰ網回線系回路を適用することができる。ＷＡＮ１６は、制御部１７によりパケット化された音声信号をＩＰ網回線４に送出するものである。また、ＷＡＮ１６は、ＩＰ網回線４から信号が与えられるか否かを定期的に又は常時監視し、ＩＰ網回線４から信号が到来すると、その信号を制御部１７に与えるものである。
【００８０】
制御部１７は、設定チャネル切替制御部１７１、呼制御部１７２、割り込み制御部１７３を少なくとも備える、勿論、制御部１７は、第１の実施形態で説明したような基本的な制御機能を有する。
【００８１】
設定チャネル切替制御部１７１は、第１の実施形態で説明した設定チャネル切替制御部１４１に対応するものである。また、呼制御部１７２も、第１の実施形態で説明した呼制御部１４２に対応するものである。
【００８２】
割り込み制御部１７３は、電話機２がＰＳＴＮ通話中に、ＩＰ網回線４から着信があった場合に、ＤＳＰ１１で作成された着信音信号をＳＬＩＣ１２に与えるために、着信音信号を送出するチャネルをハイウェイ２０上に設定し、その設定したチャネルをＳＬＩＣ１２の受信チャネルとして一時的に切り替えるものである。このように、割り込み制御部１７３が設定したチャネルを一時的ＳＬＩＣ１２の受信チャネルとし、このチャネルのタイムスロットタイミングで着信音信号を送出することで、着信音信号をＳＬＩＣ１２を介して電話機２に与えることが可能となる。
【００８３】
ここで、割り込み制御部１７３が着信音信号を伝送するために設定するチャネルの設定例を図１０を参照して説明する。図１０に示すように、割り込み制御部１７３は、ハイウェイ上２０のＣｈ＃４を、着信音信号を伝送するためのチャネルとして設定する。
【００８４】
このように、割り込み制御部１７３は、ＰＳＴＮ通話時におけるＳＬＩＣ１２の受信チャネル（本実施形態ではＣｈ＃１）とは異なるチャネルを設定し、このチャネルを一時的なＳＬＩＣ１２の受信チャネルとすることで、ＳＬＩＣ１２に着信音信号を伝送することができる。
【００８５】
また、割り込み制御部１７３は、ＩＰ網回線４から着信があった場合にのみハイウェイ２０上にチャネルを設定するが、着信がないとき（例えば、着信音信号のインターバル期間、着信音信号の終了等）はチャネルの切り替えをせず、ＰＳＴＮ通話時に割り当てたチャネルに戻す。
【００８６】
これにより、着信時のみ、設定したチャネルを用いてＤＳＰ１１とＳＬＩＣ１２との間の伝送パスを形成して着信音信号をＳＬＩＣ１２に伝送することができ、着信していないときには、ＰＳＴＮ通話時におけるチャネルを用いてＳＬＩＣ１２とＤＡＡ１３との間で直接音声信号を伝送することができる。なお、着信がないときは、ＤＳＰ１１とＳＬＩＣ１２との間の伝送パスは切断されている。
【００８７】
ＤＳＰ１１は、ＩＰ網回線４から着信があった場合、割り込み制御部１７３の制御により、着信音信号を生成し、その生成した着信音を、一時的に割り当てられたチャネルのタイムスロットでハイウェイ２０上に送出し、ＳＬＩＣ１２に与えるものである。
【００８８】
（Ｂ−２）第２の実施形態の動作
次に、第２の実施形態の音声通信装置１０の動作について図面を参照して説明する。
【００８９】
図１１は、音声通信装置１０の動作を説明するフローチャートである。なお、図１１において、図７に示す第１の実施形態と対応する動作については、対応する符号を付して示す。また、第１の実施形態で説明した動作についての詳細な説明は省略する。
【００９０】
また、図１２は、音声通信装置１０による接続シーケンス図である。なお、図１２では、電話機２がＰＳＴＮ通話中にＩＰ網回線４から着信があった場合に、着信音信号を電話機２に与えてＩＰ網回線４に切り替えるときの接続シーケンスを示す。
【００９１】
図１１において、Ｓ１〜Ｓ５までの音声通信装置１０の動作は、第１の実施形態と同様なので省略する。
【００９２】
ＷＡＮ１６はＩＰ網回線４の状態を定期的に又は常時監視し、ＩＰ網回線４から着信があると、着信があった旨を制御部１７に通知し、制御部１７においてＩＰ網回線４から着信（ＩＰ通話着信）があったことが検出される（Ｓ１０）。
【００９３】
このとき、ＩＰパケットで着信情報を受信する。この仕組みは、例えば、ＳＩＰ、ＭＧＣＰ、Ｈ．３２３等のプロトコルによる。
【００９４】
ＩＰ通話着信が制御部１７に検出されると、割り込み制御部１７３の制御により、ハイウェイ２０上にチャネルが一時的に割り当てられ、その設定されたチャネルをＳＬＩＣ１２の受信チャネルとして使用される（Ｓ１１）。
【００９５】
なお、制御部１７では、電話機２がＰＳＴＮ通話中であるか否かを監視しており、電話機２がＰＳＴＮ通話中である場合に、切断されているＤＳＰ１１とＳＬＩＣ１２との間の伝送パスを一時的に復旧するように制御する。
【００９６】
ＩＰ網回線４から着信があると、ＤＳＰ１１により生成された着信音信号は、割り込み制御部１７３の制御により設定されたチャネルに乗せられて、ＤＳＰ１１からＳＬＩＣ１２に伝送される（Ｓ１２）。
【００９７】
これにより、着信音信号は、ハイウェイ２０上に設定されたチャネルを通じて、ＳＬＩＣ１２に与えられ、電話機２に与えられる。
【００９８】
電話機２に着信音信号が与えられると、電話機２に着信音を流すことができ、図１２に示すような電話機２による所定の割り込み処理に応じて、音声通信装置１０において、電話機２とＩＰ網回線４との間の接続制御がなされて、電話機２とＩＰ網回線４との間の音声通信を可能とすることができる。
【００９９】
（Ｂ−３）第２の実施形態の効果
以上、本実施形態によれば、第１の実施形態と同様の効果を奏すことができる。
【０１００】
また、本実施形態によれば、電話機２がＰＳＴＮ通話中にＩＰ網回線４から着信があった場合、制御部１７が着信時のみに、ハイウェイ２０上のチャネルを一時的に割り当てることにより、着信音信号をＳＬＩＣ１２に与えることができるので、ＰＳＴＮ通話中の電話機２に対して着信音を与えることができる。
【０１０１】
（Ｃ）他の実施形態
上述した第１及び第２の実施形態では、音声通信装置として交換機及びＶｏＩＰゲートウェイを例に挙げて説明したが、時分割多重化伝送システム系における音声通信装置であって、音声通信制御を行なうために、インタフェース間に複数のハイウェイを用いてデータ伝送する接続制御手段（ＤＳＰ）を備える音声通信装置であれば、広く適用することができる。
【図面の簡単な説明】
【０１０２】
【図１】第１の実施形態に係るハイウェイに割り当てられるチャネルを説明する説明図である。
【図２】従来の音声通信装置の構成を示す構成図である。
【図３】従来の音声通信装置のハイウェイに割り当てられるチャネルを説明する説明図である。
【図４】従来の音声通話において発生したエコー信号が音声信号の伝送経路に入り込む様子を説明する説明図である。
【図５】第１の実施形態の音声通信装置の構成を示す構成図である。
【図６】第１の実施形態の音声通信装置の機能を説明する機能ブロック図である。
【図７】第１の実施形態の音声通信装置の動作を説明するフローチャートである。
【図８】第２の実施形態の音声通信装置の構成を示す構成図である。
【図９】第２の実施形態の音声通信装置の機能を説明する機能ブロック図である。
【図１０】第２の実施形態に係るハイウェイに割り当てられるチャネルを説明する説明図である。
【図１１】第２の実施形態の音声通信装置の動作を説明するフローチャートである。
【図１２】第２の実施形態の音声通信装置を介した接続シーケンス図である。
【符号の説明】
【０１０３】
１、１０…音声通信装置、１１…ＤＳＰ、１２…ＳＬＩＣ１２…ＤＡＡ、１４…制御部、２０…ハイウェイ。
【図１】
2005318276.tif 000003
【図２】
2005318276.tif 000004
【図３】
2005318276.tif 000005
【図４】
2005318276.tif 000006
【図５】
2005318276.tif 000007
【図６】
2005318276.tif 000008
【図７】
2005318276.tif 000009
【図８】
2005318276.tif 000010
【図９】
2005318276.tif 000011
【図１０】
2005318276.tif 000012
【図１１】
2005318276.tif 000013
【図１２】
2005318276.tif 000014